(57)【特許請求の範囲】
【請求項１】
建物の基礎の内周部又は外周部に断熱材を設けた断熱基礎における基礎点検口蓋構造であって、
前記基礎に基礎点検口枠が埋め込まれて基礎点検口が形成されており、
前記基礎点検口は、断熱性を有する蓋体が、その縁部で締結部材により前記基礎点検口枠へ固定され、塞がれており、
前記蓋体の前記縁部の裏面には、リブが該蓋体の表面と略垂直な方向へ突出して設けられているとともに、前記リブの内側に圧縮前には該リブの突出長さよりも厚いシーリング材が設けられており、
前記蓋体は、該蓋体の外表面側から、前記シーリング材の内側位置で、前記締結部材を、前記リブが前記基礎点検口枠へ突き当たるまで締め付けることにより、前記基礎点検口枠へ固定されていることを特徴とする断熱基礎における基礎点検口蓋構造。
【請求項２】
前記蓋体は、耐火性を有するカバー材の内部に断熱材を設けて成ることを特徴とする請求項１に記載の断熱基礎における基礎点検口蓋構造。
【請求項３】
耐火性を有する前記カバー材は、耐火性の高い金属製であることを特徴とする請求項２に記載の断熱基礎における基礎点検口蓋構造。
【請求項４】
前記基礎点検口の内周面に、断熱材が設けられており、前記蓋体の前記断熱材と重なり部分を有していることを特徴とする請求項１乃至３のいずれか一項に記載の断熱基礎における基礎点検口蓋構造。
【発明の詳細な説明】
【技術分野】
【０００１】
本発明は、建物の断熱基礎における基礎点検口蓋構造に関するものである。
【背景技術】
【０００２】
従来から、建物の基礎には、この基礎内にカビなどが発生するなどの異常がないかどうかを確認するための基礎点検口が設けられている（特許文献１等を参照）。
【０００３】
また、この基礎点検口には、通常、意匠的外観の見地などから、基礎点検口蓋が設けられている。
【特許文献１】特開平０２−２１７５６７号公報
【発明の開示】
【発明が解決しようとする課題】
【０００４】
ところで、近年、建物の基礎の内周部又は外周部に断熱材を設けるなどして断熱し、建物屋内の熱が基礎を介して逃げないようにすることで、床下空間も室内空間と同様な断熱環境にする断熱基礎の技術が普及しつつある。
【０００５】
しかしながら、現在のところ、こうした断熱基礎の断熱性を保持できる基礎点検口蓋の構造に関する技術までは見聞されない。
【０００６】
そこで、本発明は、断熱基礎の断熱性を保持できる断熱基礎における基礎点検口蓋構造を提供することを目的としている。
【課題を解決するための手段】
【０００７】
前記目的を達成するために、本発明の断熱基礎における基礎点検口蓋構造は、建物の基礎の内周部又は外周部に断熱材を設けた断熱基礎における基礎点検口蓋構造であって、前記基礎に基礎点検口枠が埋め込まれて基礎点検口が形成されており、前記基礎点検口は、断熱性を有する蓋体が、その縁部で締結部材により前記基礎点検口枠へ固定され、塞がれていることを特徴とする。
【０００８】
ここで、前記蓋体は、耐火性を有するカバー材の内部に断熱材を設けて成るとよい。
【０００９】
また、耐火性を有する前記カバー材は、耐火性の高い金属製であるとよい。
【００１０】
さらに、前記蓋体は、前記縁部でシーリング材を介して前記締結部材により前記基礎点検口枠へ固定されているとよい。
【００１１】
また、前記蓋体の前記縁部の裏面には、前記シーリング材の厚さよりも短い長さのリブが該蓋体の表面と略垂直な方向へ突出して設けられているとよい。
【００１２】
さらに、前記基礎点検口の内周面に、断熱材が設けられており、前記蓋体の前記断熱材と重なり部分を有しているとよい。
【発明の効果】
【００１３】
このような本発明の断熱基礎における基礎点検口蓋構造は、基礎の内周部又は外周部に断熱材を設けた断熱基礎において、基礎に基礎点検口枠が埋め込まれて基礎点検口が形成されており、基礎点検口は、断熱性を有する蓋体が、その縁部で締結部材により基礎点検口枠へ固定され、塞がれた構成とされているので、基礎点検口が断熱性を有する蓋体により密閉されるため、断熱基礎の断熱性を保持できる。
【００１４】
ここで、蓋体が、耐火性を有するカバー材の内部に断熱材を設けて成る場合は、耐火性を有するカバー材により、屋外側からの火災時の炎の侵入を極力防いで、屋内側への類焼を抑制でき、また、屋内側からの火災時の炎の放出を極力防いで、屋外側への延焼も抑制できる。
【００１５】
また、耐火性を有するカバー材が、耐火性の高い金属製である場合は、例えばステンレス鋼などの腐食しにくく、加工が容易で、比較的安価な材料により蓋体を構成することができる。
【００１６】
さらに、蓋体が、縁部でシーリング材を介して締結部材により基礎点検口枠へ固定されている場合は、蓋体の縁部と基礎点検口枠との間の密閉性が高まるため、より断熱基礎の気密性及び水密性を保持できる。
【００１７】
また、蓋体の縁部の裏面に、シーリング材の厚さよりも短い長さのリブが蓋体の表面と略垂直な方向へ突出して設けられている場合は、リブが基礎点検口枠へ突き当たったときを、締結部材の締付け目安にできるため、大抵の者が蓋体をその密閉性を確保するのに必要な一定の締付力で取付けることができる。
【００１８】
さらに、基礎点検口の内周面に、断熱材が設けられており、蓋体の断熱材と重なり部分を有している場合は、断熱材同士の重なり部分が有ることにより、基礎点検口の周囲で冷橋が生じることがないため、連続した断熱基礎の断熱性を保持できる。
【発明を実施するための最良の形態】
【００１９】
以下、本発明の最良の実施の形態について図面に基づいて説明する。
【００２０】
図１は、本実施の形態の断熱基礎における基礎点検口蓋構造２０を備えた建物１の概略構成を示している。
【００２１】
まず、このような建物１は、地盤上に構築された底盤コンクリート２ａと、その側縁に立設された側壁コンクリート２ｂとから成る基礎２Ａと、その上に立設された建物本体１Ａとから主に構成されている。
【００２２】
ここで、基礎２Ａは、側壁コンクリート２ｂの内周面には押出法ポリスチレンフォーム製の断熱材８が貼り付けられた断熱基礎２とされている。
【００２３】
そして、本実施の形態の断熱基礎における基礎点検口蓋構造２０は、図２〜図４に示したように、基礎２Ａに基礎点検口枠３０を埋め込んで形成した基礎点検口３が、断熱性を有する蓋体４を、その縁部４ａに締結部材としての４本のネジ５，・・・をねじ込んで基礎点検口枠３０へ固定して、塞がれた構成とされている。
【００２４】
ここで、基礎点検口枠３０は、図３及び図４に示したように、矩形状であり、底盤コンクリート２ａの上に、ポリエチレンフォーム製のシール材９を介して載置され、側壁コンクリート２ｂ中に埋め込まれて断面矩形状の基礎点検口３を形成している。
【００２５】
また、この基礎点検口枠３０の下縁部表側には、意匠的外観を考慮して、このシール材９を覆い隠すように、モルタル１０が設けられている。
【００２６】
また、意匠的外観を考慮して、この基礎点検口枠３０の上縁部を隠すように、建物本体１Ａの下端部には水切り材１４が設けられている。
【００２７】
さらに、蓋体４は、図５（ａ）及び図５（ｂ）に示したように、この蓋体４の表面４ｂ及び上下面４ｃ，４ｄ並びに左右側面４ｅ，４ｆを形成するステンレス鋼製の外側カバー材４１Ａの内側凹部４３に押出法ポリスチレンフォーム製の断熱材４２を嵌め込んでから、ステンレス鋼製の平板状の内側カバー材４１Ｂをリベット４４，・・・により固定して成る。
【００２８】
そして、外側カバー材４１Ａと内側カバー材４１Ａとから成るカバー材４１は、外側カバー材４１Ａの左右側面４ｅ，４ｆから表面４ｂの面方向に突出する蓋体４の本体部分より薄い平板状の縁部４ａを有する。
【００２９】
ここで、この蓋体４の平板状の縁部４ａの裏側には、この縁部４ａに沿って合成ゴム製のシーリング材６が設けられている。
【００３０】
また、蓋体４の平板状の縁部４ａの裏面の左右両端部には、このシーリング材６の厚さよりも短い長さのリブ４１ａが蓋体４の表面４ｂと略垂直な方向へ突出して設けられている。
【００３１】
そして、蓋体４は、図６に示したように、ネジ孔４１ｂ，・・・からネジ５，・・・を、それぞれ補強ワッシャー５１及び防水ワッシャー５２を介して基礎点検口枠３０のネジ孔３２，・・・へねじ込んで固定され、このシーリング材６を介して基礎点検口枠３０に固定されている。
【００３２】
ここで、蓋体４の平板状の縁部４ａの裏面には、ネジ孔３２と孔を連通して一体に取付けナット３１がそれぞれ設けられており、ネジ５，・・・は、この取付けナット３１，・・・の孔までねじ込まれている。
【００３３】
さらに、基礎点検口３の内周面には、図３及び図４に示したように、押出法ポリスチレンフォーム製の断熱材７が設けられている。
【００３４】
ここで、側壁コンクリート２ｂ及び断熱材８と断熱材７との間の隙間は、ウレタンフォーム製の隙間充填剤１１が注入されて埋められている。
【００３５】
また、基礎点検口３の内周面の断熱材７と蓋体４内部の断熱材４２とは、図３及び図４並びに図６に示したように、重なり部分を有する。
【００３６】
上記した断熱材７，８，４２には、同一の厚さ（２５ｍｍ）に加工された押出法ポリスチレンフォーム製の板材が用いられている。
【００３７】
次に、本実施の形態の断熱基礎における基礎点検口蓋構造２０の施工方法について説明する。
【００３８】
まず、図７に示したように、吊部３３ａ，３３ａを有する基礎点検口内型枠材３３と基礎点検口外型枠材３４との間にシール材９を下面に取付けた基礎点検口枠３０を挟み込んだ状態に、４本の蝶ネジ３５，・・・をねじ込み固定して基礎点検口用型枠３６を組み上げる。
【００３９】
続いて、この組み上げた基礎点検口用型枠３６を、図８に示したように、側壁コンクリート２ｂの型枠１２内へ挿入し、この型枠１２の上端部で吊部３３ａ，３３ａで吊るした状態にしてシャコ万力１３，・・・で固定する。
【００４０】
この状態で、まずは底盤コンクリート２ａを打設し、続いて、型枠１２内へ側壁コンクリート２ｂを打設する。
【００４１】
そして、コンクリートを養生して固めた後、図９に示したように、蝶ネジ３５，・・・を抜いて、基礎点検口内型枠材３３と基礎点検口外型枠材３４を取り除くと、基礎２Ａに基礎点検口枠３０が埋め込まれた基礎点検口３が形成される。
【００４２】
続いて、図１０に示したように、基礎２Ａの側壁コンクリート２ｂの内周面へ断熱材８を貼り付けて断熱基礎２とする。
【００４３】
さらに、基礎点検口枠３０の裏面において、ネジ孔３２，・・・に孔が連通するように取付けナット３１，・・・を溶接してから、基礎点検口３の内周面に、断熱材７を設ける（図６を参照）。
【００４４】
そして、側壁コンクリート２ｂ及び断熱材８と断熱材７との間の隙間を、隙間充填剤１１を注入して埋める。
【００４５】
また、基礎点検口枠３０の下縁部表側に、シール材９を覆い隠すように、モルタル１０を設ける（図４を参照）。
【００４６】
最後に、蓋体４を、図１１に示したように、ネジ孔４１ｂ，・・・からネジ５，・・・を補強ワッシャー５１及び防水ワッシャー５２を介して基礎点検口枠３０のネジ孔３２及びこのネジ孔３２に孔を連通して一体に設けた取付けナット３１，・・・へねじ込んで固定し、シーリング材６を介して基礎点検口枠３０に固定する（図６を参照）。
【００４７】
こうして、図２〜図４に示した本実施の形態の断熱基礎における基礎点検口蓋構造２０が完成する。
【００４８】
次に、本実施の形態の断熱基礎における基礎点検口蓋構造２０の作用効果について説明する。
【００４９】
このような本発明の断熱基礎における基礎点検口蓋構造２０は、基礎２Ａの内周部に断熱材８を設けた断熱基礎２において、基礎２Ａに基礎点検口枠３０が埋め込まれて基礎点検口３が形成されており、基礎点検口３は、断熱性を有する蓋体４が、その縁部４ａで締結部材としてのネジ５，・・・により基礎点検口枠３０へ固定され、塞がれた構成とされているので、基礎点検口３が断熱性を有する蓋体４により密閉されるため、断熱基礎２の断熱性を保持できる。
【００５０】
ここで、蓋体４が、耐火性を有するカバー材４１の内部に断熱材４２を設けて成るので、耐火性を有するカバー材４１により、屋外側からの火災時の炎の侵入を極力防いで、屋内側への類焼を抑制でき、また、屋内側からの火災時の炎の放出を極力防いで、屋外側への延焼も抑制できる。
【００５１】
また、蓋体４が、蓋体４の表面４ｂ及び上下面４ｃ，４ｄ並びに左右側面４ｅ，４ｆを形成するとともに左右側面４ｅ，４ｆから表面４ｂの面方向に突出する蓋体４の本体部分より薄い平板状の縁部４ａを有する外側カバー材４１Ａと、カバー材４１の内側凹部４３に設けられた断熱材４２と内側カバー材４１Ｂとこれを固定するリベット４４，・・・とから成るので、少ない部品点数で、断熱性を有する蓋体４を簡易に構成することができる。
【００５２】
そのうえ、縁部４ａが蓋体４の本体部分より薄い平板状であるため、基礎点検口枠３０へ固定するためのネジ５，・・・には、取り扱い易く安価な市販のものを用いることができる。
【００５３】
さらに、カバー材４１を構成する外側カバー材４１Ａと内側カバー材４１Ｂとが、ステンレス鋼製であるので、加工が容易なため、比較的安価に、腐食しにくい蓋体４を構成することができる。
【００５４】
また、蓋体４が、縁部４ａでシーリング材６を介してネジ５，・・・により基礎点検口枠３０へ固定されているので、蓋体４の縁部４ａと基礎点検口枠３０との間の密閉性が高まるため、より断熱基礎２の気密性及び水密性を保持できる。
【００５５】
さらに、蓋体４の縁部４ａの裏面に、シーリング材６の厚さよりも短い長さのリブ４１ａが蓋体４の表面４ｂと略垂直な方向へ突出して設けられているので、リブ４１ａが基礎点検口枠３０へ突き当たったときを、ネジ５，・・・の締付け目安にできるため、大抵の者が蓋体をその密閉性を確保するのに必要な一定の締付力で取付けることができる。
【００５６】
さらに、基礎点検口３の内周面に、断熱材７が設けられており、蓋体４の断熱材４２と内側カバー材４１Ｂを介して重なり部分を有してので、ステンレス鋼製の内側カバー材４１Ｂの厚さは０．５ｍｍ程度と薄く、断熱材７，４２同士の重なり部分への影響は極端に小さく、基礎点検口３の周囲で冷橋が生じることがないため、連続した断熱基礎の断熱性を保持できる。
【００５７】
また、断熱材７，８，４２には、同一の厚さに加工された押出法ポリスチレンフォーム製の板材が用いられているので、市販の同一厚さのものだけを用いればよいため、経済的に実施できる。
【００５８】
以上、図面を参照して、本発明の最良の実施の形態を詳述してきたが、具体的な構成は、この実施の形態に限らず、本発明の要旨を逸脱しない程度の設計的変更は、本発明に含まれる。
【００５９】
例えば、上記した実施の形態では、断熱材７，８，４２として、押出法ポリスチレンフォーム製のものを用いたが、これに限定されず、ウレタンフォーム製のものなど他のものを用いて実施してもよい。
【００６０】
また、上記した実施の形態では、蓋体４に内側カバー材４１Ｂを設け、蓋体４の断熱材４２と基礎点検口３の内周面の断熱材７との間に、この内側カバー材４１Ｂを介して重なり部分を有するように実施したが、これに限定されない。
【００６１】
すなわち、蓋体４に内側カバー材４１Ｂを設けずに、蓋体４の断熱材４２と基礎点検口３の内周面の断熱材７との間に、直接的な重なり部分を有するように実施してもよい。
【００６２】
さらに、上記した実施の形態では、基礎２Ａの側壁コンクリート２ｂの内周面に断熱材８を貼り付けて断熱基礎２を形成して実施したが、これに限定されない。
【００６３】
すなわち、図１２に例示したように、基礎２Ａの側壁コンクリート２ｂの外周面に断熱材８０を貼り付けて断熱基礎２を形成し、蓋体４で基礎点検口３を塞いでから、基礎点検口３の内周面に断熱材７０を固定具７１で固定し、蓋体４の断熱材４２と基礎点検口３の内周面の断熱材７０との間に、重なり部分を有するように構成した基礎点検口蓋構造２１を実施してもよい。
【図面の簡単な説明】
【００６４】
【図１】本発明の最良の実施の形態の断熱基礎における基礎点検口蓋構造を備えた建物の概略構成を示す説明図である。
【図２】本実施の形態の断熱基礎における基礎点検口蓋構造の正面図である。
【図３】図２におけるＡ−Ａ矢視断面図である。
【図４】図２におけるＢ−Ｂ矢視断面図である。
【図５】（ａ）は、蓋体の分解斜視図であり、（ｂ）は、蓋体の斜視図である。
【図６】図３におけるＣ部の拡大図である。
【図７】基礎点検口用型枠の分解斜視図である。
【図８】基礎点検口用型枠を側壁コンクリートの型枠の上端部へ固定した状態を示す斜視図である。
【図９】脱型して基礎点検口を形成した状態を示す斜視図である。
【図１０】側壁コンクリートの内周面及び基礎点検口の内周面に断熱材を設けた状態を示す斜視図である。
【図１１】基礎点検口へ蓋体を取付ける状態を示す斜視図である。
【図１２】異なる実施の形態の断熱基礎における基礎点検口蓋構造の水平断面図である。
【符号の説明】
【００６５】
１      建物
２Ａ    基礎
２      断熱基礎
２０    基礎点検口蓋構造
２１    基礎点検口蓋構造
３      基礎点検口
３０    基礎点検口枠
４      蓋体
４ａ    蓋体の縁部
４ｂ    蓋体の表面
４ｃ    蓋体の上面
４ｄ    蓋体の下面
４ｅ    蓋体の左側面
４ｆ    蓋体の右側面
４１    カバー材
４１Ａ  外側カバー材
４１Ｂ  内側カバー材
４３    外側カバー材の内側凹部
４１ａ  リブ
４２    断熱材
５      ネジ（締結部材）
６      シーリング材
７      断熱材
７０    断熱材
８      断熱材
８０    断熱材
【図１】
0005291374.tif 000002
【図２】
0005291374.tif 000003
【図３】
0005291374.tif 000004
【図４】
0005291374.tif 000005
【図５】
0005291374.tif 000006
【図６】
0005291374.tif 000007
【図７】
0005291374.tif 000008
【図８】
0005291374.tif 000009
【図９】
0005291374.tif 000010
【図１０】
0005291374.tif 000011
【図１１】
0005291374.tif 000012
【図１２】
0005291374.tif 000013